(57)【要約】  【課題】  電話帳や短縮ダイヤルやワンタッチダイヤルに登録された電話番号の中から携帯電話番号を検出し、通信事業者の識別番号を携帯電話番号に一括挿入して再登録する固定電話機を提供する。  【解決手段】  携帯電話番号制御手段２、電話番号記憶手段３、識別番号記憶手段４、携帯電話番号抽出手段５、位置検出手段６、挿入手段７、入力手段８、表示手段９、回線インタフェース１０を備え、電話番号の読出し、携帯電話番号の抽出、識別番号の挿入位置の検出、識別番号の挿入、識別番号を挿入した携帯電話番号の記憶および全ての携帯電話番号に識別番号を挿入して記憶する。【選択図】  図１
2005347818.tif 000002
【特許請求の範囲】
【請求項１】
電話帳や短縮ダイヤルやワンタッチダイヤルの電話番号を記憶する電話番号記憶手段と、指定した通信事業者の識別番号を記憶する識別番号記憶手段と、前記電話番号記憶手段に記憶されている前記電話番号を読み出し、携帯電話番号を抽出する携帯電話番号抽出手段と、前記携帯電話番号に前記識別番号を挿入する挿入位置を検出する位置検出手段と、前記位置検出手段が検出した前記挿入位置に前記識別番号を挿入する挿入手段と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段と、前記電話番号の状態を表示する表示手段と、入力手段と、を備え、全ての携帯電話番号に識別番号を一括して挿入して記憶することを特徴とする固定電話機。
【請求項２】
電話帳や短縮ダイヤルやワンタッチダイヤルの電話番号を記憶する電話番号記憶手段と、指定した通信事業者の識別番号を記憶する識別番号記憶手段と、ダイヤル発信時に、該当する電話番号を読み出し、一時記憶するダイヤル番号記憶手段と、ダイヤル番号が前記携帯電話番号であることを抽出する携帯電話番号抽出手段と、前記携帯電話番号に前記識別番号を挿入する挿入位置を検出する位置検出手段と、前記位置検出手段が検出した前記挿入位置に前記識別番号を挿入する挿入手段と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段と、前記ダイヤル番号の状態を表示する表示手段と、入力手段と、を備え、携帯電話番号のダイヤル発信時に、識別番号を付加して発信することを特徴とする固定電話機。
【請求項３】
前記識別番号記憶手段は、既に挿入された識別番号を削除するための削除番号を記憶する削除番号記憶領域を有し、前記位置検出手段が前記識別番号を挿入する前記挿入位置を検出した時、識別番号が既に存在する場合には、前記既に挿入された識別番号と前記削除番号とを比較する比較手段と、前記既に挿入された識別番号と前記削除番号とが一致する場合には、前記既に挿入された識別番号を削除する削除手段と、を備えたことを特徴とする請求項１記載の固定電話機。
【請求項４】
前記削除番号記憶領域は、前記携帯電話番号制御手段によって全ての前記携帯電話番号に前記識別番号を挿入して記憶するシーケンスが実行された後に、前記挿入された識別番号を削除番号として記憶することを特徴とする請求項３記載の固定電話機。
【請求項５】
前記位置検出手段が前記識別番号を挿入する前記挿入位置を検出した時、識別番号が既に存在する場合には、既に挿入された識別番号と指定した識別番号とを比較する番号比較手段と、前記既に挿入された識別番号と前記指定した識別番号とが異なる場合には、前記既に挿入された識別番号を削除する識別番号削除手段と、を備えたことを特徴とする請求項１記載の固定電話機。
【請求項６】
前記携帯電話番号抽出手段は、前記携帯電話番号の最終桁から若番方向へ１１桁の数字列を検出するとともに、１１桁目から９桁目に前記携帯電話番号の特有な数字列（０９０または０８０）および８行目に０以外の数字を検出することを特徴とする請求項１または請求項２記載の固定電話機。
【請求項７】
前記位置検出手段は、複数の特番数字列を付加して記憶された前記携帯電話番号の最初の桁から前記複数の特番数字列を検出し、前記挿入位置を前記特番数字列の最終桁の次桁から、前記携帯電話番号抽出手段が検出した前記携帯電話番号の１１桁目の前桁までに決定することを特徴とする請求項１、請求項２、請求項３または請求項５記載の固定電話機。
【請求項８】
前記位置検出手段は、前記既に挿入された識別番号が存在しない場合には、前記特番数字列の最終桁の次桁と前記携帯電話番号の１１桁目が一致することを検出し、前記挿入位置を前記特番数字列の最終桁と前記携帯電話番号の１１桁目との間に決定することを特徴とする請求項７記載の固定電話機。
【請求項９】
電話帳や短縮ダイヤルやワンタッチダイヤルに記憶されている携帯電話番号に通信事業者の識別番号を一括して挿入する固定電話機の識別番号付加方法であって、
記憶された電話番号を読み出すステップＳ１と、
電話番号の最終桁から若番方向へ１１桁の数字列があるか否かを判定するステップＳ２と、
数字列が１１桁ある場合には、１１桁目から９桁目の数字列が０９０または０８０で、かつ８桁目が０以外の数字であるか否かを判定するステップＳ３と、
数字列が０９０または０８０で、かつ８桁目が０以外の数字である場合には、携帯電話番号として認識するステップＳ４と、
携帯電話番号の最初の桁から複数の特番数字列があるか否かを判定するステップＳ５と、
特番数字列がある場合には、特番数字列の最終桁の次桁から、携帯電話番号の最終桁から１１桁目の前桁までを識別番号の挿入位置と決定するステップＳ６と、
特番数字列がない場合には、携帯電話番号の最終桁から１１桁目の前列までを識別番号の挿入位置と決定するステップＳ１１と、
識別番号を挿入位置に挿入するステップＳ７と、
識別番号を挿入した携帯電話番号を記憶するステップＳ８と、
全ての電話番号に処理を実行したか否かを判断するステップＳ９と、
全ての処理が実行された後に、識別番号を削除番号として記憶するステップＳ１０と、
を備えたことを特徴とする固定電話機の識別番号付加方法。
【請求項１０】
ステップＳ７において、
既に挿入された識別番号がある場合には、既に挿入された識別番号と削除番号とを比較するサブステップＳＵＢ１と、
既に挿入された識別番号と削除番号が一致するか否かを判定するサブステップＳＵＢ２と、
既に挿入された識別番号と削除番号が一致する場合には、既に挿入された識別番号を削除するサブステップＳＵＢ３と、
を備えたことを特徴とする請求項９記載の固定電話機の識別番号付加方法。
【請求項１１】
ステップＳ７において、
既に挿入された識別番号がある場合には、既に挿入された識別番号と指定した識別番号とを比較するサブステップＳＵＢ４と、
既に挿入された識別番号と指定した識別番号が異なるか否かを判定するサブステップＳＵＢ５と、
既に挿入された識別番号と指定した識別番号が異なる場合には、既に挿入された識別番号を削除するサブステップＳＵＢ６と、
を備えたことを特徴とする請求項９記載の固定電話機の識別番号付加方法。
【請求項１２】
電話帳や電話帳や短縮ダイヤルやワンタッチダイヤルに記憶されている携帯電話番号のダイヤル発信時に、識別番号を付加して発信する固定電話機の識別番号付加方法であって、
該当する電話番号を読み出し、一時記憶するステップＰ１と、
電話番号の最終桁から若番方向へ１１桁の数字列があるか否かを判定するステップＰ２と、
数字列が１１桁ある場合には、１１桁目から９桁目の数字列が０９０または０８０で、かつ８桁目が０以外の数字であるか否かを判定するステップＰ３と、
数字列が０９０または０８０で、かつ８桁目が０以外の数字である場合には、携帯電話番号として認識するステップＰ４と、
携帯電話番号の最初の桁から複数の特番数字列があるか否かを判定するステップＰ５と、
特番数字列がある場合には、特番数字列の最終桁の次桁から、携帯電話番号の最終桁から１１桁目の前桁までを識別番号の挿入位置と決定するステップＰ６と、
特番数字列がない場合には、携帯電話番号の最終桁から１１桁目の前列までを識別番号の挿入位置と決定するステップＰ９と、
識別番号を挿入位置に付加するステップＰ７と、
識別番号を付加した携帯電話番号を電話回線に送出するステップＰ８と、
を備えたことを特徴とする固定電話機の識別番号付加方法。
【発明の詳細な説明】
【技術分野】
【０００１】
本発明は固定電話機の電話帳や短縮ダイヤルやワンタッチダイヤルに登録されている携帯電話番号に、通信事業者の識別番号を挿入して再登録が可能な固定電話機およびその識別番号付加方法に係り、特に全ての携帯電話番号に一括して識別番号を挿入して再登録が可能な、またはダイヤル発信時に、携帯電話番号に識別番号を付加してダイヤル発信可能な固定電話機およびその識別番号付加方法に関する。
【背景技術】
【０００２】
最近、固定電話機から携帯電話機に電話をする場合、通信事業者（例えば、ＮＴＴ東日本殿やＫＤＤＩ殿）の識別番号（例えば、００３６や００７７）を相手先携帯電話番号の前に付加してダイヤル発信すると、携帯電話機への通話料金が割安になるサービスが開始されている。
【０００３】
固定電話機の電話帳や短縮ダイヤルやワンタッチダイヤルに登録されている全ての携帯電話番号に、通信事業者の識別番号を一括して付加した携帯電話番号を再登録しておくと、固定電話機から携帯電話機へのダイヤル発信操作（例えば、ワンタッチダイヤル）が従来と同じダイヤル発信操作で、固定発−携帯着の料金割安サービスを受けることができる。
【０００４】
「特許文献１」に開示されている従来の技術は、固定電話機（公衆電話機）から携帯電話機にダイヤル発信して通話した場合の課金を的確にするものである。
【０００５】
また、「特許文献２」に開示されている従来の技術は、固定電話機から携帯電話機への通話料金を有線回線網を所有する通信事業者以外の通信事業者が設定可能にし、このような通信事業に参入できるようにする方法である。
【特許文献１】特開２００３−１２５１２０号公報
【特許文献２】特開２００１−３３３２２６号公報
【発明の開示】
【発明が解決しようとする課題】
【０００６】
固定発−携帯着の料金割安サービスを受けるために、固定電話機の電話帳や短縮ダイヤルやワンタッチダイヤルに登録されている全ての携帯電話番号（０９０や０８０）の前に通信事業者（例えば、ＮＴＴ東日本殿）の識別番号（例えば、００３６）をそれぞれ挿入し、識別番号の挿入された全ての携帯電話番号を再登録するには、再登録作業に多くの時間を要し、作業が煩雑になる課題がある。
【０００７】
また、「特許文献１」や「特許文献２」に開示された従来の技術は、固定発−携帯着の料金割安サービスを受けるために、固定電話機に登録された全ての携帯電話番号に効率的に通信事業者の識別番号を挿入し、識別番号が挿入された全ての携帯電話番号を再登録することができない課題がある。
【０００８】
この発明はこのような課題を解決するためになされたもので、第１の目的は固定電話機（一般加入電話機）の電話帳や短縮ダイヤルやワンタッチダイヤルに登録された電話番号の中から携帯電話番号を検出し、通信事業者の識別番号を携帯電話番号に一括挿入して、電話帳や短縮ダイヤルやワンタッチダイヤルに再登録する利便性の高い固定電話機を提供することにある。
【０００９】
第２の目的はダイヤル発信時に、固定電話機（一般加入電話機）の電話帳や短縮ダイヤルやワンタッチダイヤルに登録された電話番号の中から携帯電話番号を検出し、自動的にダイヤル番号（携帯電話番号）に通信事業者の識別番号を付加して、電話回線に送出する利便性の高い固定電話機を提供することにある。
【課題を解決するための手段】
【００１０】
前記課題を解決するためこの発明に係る固定電話機は、電話帳や短縮ダイヤルやワンタッチダイヤルの電話番号を記憶する電話番号記憶手段と、指定した通信事業者の識別番号を記憶する識別番号記憶手段と、電話番号記憶手段に記憶されている電話番号を読み出し、携帯電話番号を抽出する携帯電話番号抽出手段と、携帯電話番号に識別番号を挿入する挿入位置を検出する位置検出手段と、位置検出手段が検出した挿入位置に識別番号を挿入する挿入手段と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段と、電話番号の状態を表示する表示手段と、入力手段とを備え、全ての携帯電話番号に識別番号を一括して挿入して記憶することを特徴とする。
【００１１】
この発明に係る固定電話機は、電話帳や短縮ダイヤルやワンタッチダイヤルの電話番号を記憶する電話番号記憶手段と、指定した通信事業者の識別番号を記憶する識別番号記憶手段と、電話番号記憶手段に記憶されている電話番号を読み出し、携帯電話番号を抽出する携帯電話番号抽出手段と、携帯電話番号に識別番号を挿入する挿入位置を検出する位置検出手段と、位置検出手段が検出した挿入位置に識別番号を挿入する挿入手段と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段と、電話番号の状態を表示する表示手段と、入力手段とを備え、全ての携帯電話番号に識別番号を一括して挿入して記憶するので、電話帳や短縮ダイヤルやワンタッチダイヤルに登録された電話番号の中から携帯電話番号を特定し、所定位置に通信事業者の識別番号を挿入して再度登録する一連の動作を自動的に行うことができる。
【００１２】
また、この発明に係る固定電話機は、電話帳や短縮ダイヤルやワンタッチダイヤルの電話番号を記憶する電話番号記憶手段と、指定した通信事業者の識別番号を記憶する識別番号記憶手段と、ダイヤル発信時に、該当する電話番号を読み出し、一時記憶するダイヤル番号記憶手段と、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段と、ダイヤル番号の状態を表示する表示手段と、入力手段とを備え、携帯電話番号のダイヤル発信時に、識別番号を付加して発信することを特徴とする。
【００１３】
この発明に係る固定電話機は、電話帳や短縮ダイヤルやワンタッチダイヤルの電話番号を記憶する電話番号記憶手段と、指定した通信事業者の識別番号を記憶する識別番号記憶手段と、ダイヤル発信時に、該当する電話番号を読み出し、一時記憶するダイヤル番号記憶手段と、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段と、ダイヤル番号の状態を表示する表示手段と、入力手段とを備え、携帯電話番号のダイヤル発信時に、識別番号を付加して発信するので、電話帳や短縮ダイヤルやワンタッチダイヤルのダイヤル発信時に、携帯電話番号に自動的に通信事業者の識別番号を付加してダイヤル発信することができる。
【００１４】
さらに、この発明に係る識別番号記憶手段は、既に挿入された識別番号を削除するための削除番号を記憶する削除番号記憶領域を有し、位置検出手段が識別番号を挿入する挿入位置を検出した時、識別番号が既に存在する場合には、既に挿入された識別番号と削除番号とを比較する比較手段と、既に挿入された識別番号と削除番号とが一致する場合には、既に挿入された識別番号を削除する削除手段とを備えたことを特徴とする。
【００１５】
この発明に係る識別番号記憶手段は、既に挿入された識別番号を削除するための削除番号を記憶する削除番号記憶領域を有し、位置検出手段が識別番号を挿入する挿入位置を検出した時、識別番号が既に存在する場合には、既に挿入された識別番号と削除番号とを比較する比較手段と、既に挿入された識別番号と削除番号とが一致する場合には、既に挿入された識別番号を削除する削除手段とを備えたので、電話帳や短縮ダイヤルやワンタッチダイヤルに通信事業者の識別番号が一括して挿入された携帯電話番号を新たな通信事業者の識別番号に置き換える場合、既に挿入された識別番号を一括して削除し、新たな識別番号を一括して携帯電話番号に挿入することができる。
【００１６】
また、この発明に係る削除番号記憶領域は、携帯電話番号制御手段によって全ての携帯電話番号に識別番号を挿入して記憶するシーケンスが実行された後に、挿入された識別番号を削除番号として記憶することを特徴とする。
【００１７】
この発明に係る削除番号記憶領域は、携帯電話番号制御手段によって全ての携帯電話番号に識別番号を挿入して記憶するシーケンスが実行された後に、挿入された識別番号を削除番号として記憶するので、一括挿入された識別番号を新たな識別番号挿入時の削除番号として準備することができる。
【００１８】
さらに、この発明に係る位置検出手段が識別番号を挿入する挿入位置を検出した時、識別番号が既に存在する場合には、既に挿入された識別番号と指定した識別番号とを比較する番号比較手段と、既に挿入された識別番号と指定した識別番号とが異なる場合には、既に挿入された識別番号を削除する識別番号削除手段とを備えたことを特徴とする。
【００１９】
この発明に係る位置検出手段が識別番号を挿入する挿入位置を検出した時、識別番号が既に存在する場合には、既に挿入された識別番号と指定した識別番号とを比較する番号比較手段と、既に挿入された識別番号と指定した識別番号とが異なる場合には、既に挿入された識別番号を削除する識別番号削除手段とを備えたので、電話帳や短縮ダイヤルやワンタッチダイヤルに登録されている携帯電話番号に既に識別番号が挿入されている場合には、挿入する識別番号と既に挿入されている識別番号を比較し、両者や異なる場合には、既に挿入されている識別番号を削除して新たな識別番号を携帯電話番号に一括して挿入し、電話帳や短縮ダイヤルやワンタッチダイヤルに再登録することができる。
【００２０】
また、この発明に係る携帯電話番号抽出手段は、携帯電話番号の最終桁から若番方向へ１１桁の数字列を検出するとともに、１１桁目から９桁目に携帯電話番号の特有な数字列（０９０または０８０）および８行目に０以外の数字を検出することを特徴とする。
【００２１】
この発明に係る携帯電話番号抽出手段は、携帯電話番号の最終桁から若番方向へ１１桁の数字列を検出するとともに、１１桁目から９桁目に携帯電話番号の特有な数字列（０９０または０８０）および８行目に０以外の数字を検出するので、０９０または０８０で始まり８桁目が０以外の数字である１１桁の数字列から携帯電話番号を正確に抽出することができる。
【００２２】
さらに、この発明に係る位置検出手段は、複数の特番数字列を付加して記憶された携帯電話番号の最初の桁から複数の特番数字列を検出し、挿入位置を特番数字列の最終桁の次桁から、携帯電話番号抽出手段が検出した携帯電話番号の１１桁目の前桁までに決定することを特徴とする。
【００２３】
この発明に係る位置検出手段は、複数の特番数字列を付加して記憶された携帯電話番号の最初の桁から複数の特番数字列を検出し、挿入位置を特番数字列の最終桁の次桁から、携帯電話番号抽出手段が検出した携帯電話番号の１１桁目の前桁までに決定するので、通信事業者の識別番号の挿入位置を特番と携帯電話番号との間に設定することができる。
【００２４】
また、この発明に係る位置検出手段は、既に挿入された識別番号が存在しない場合には、特番数字列の最終桁の次桁と携帯電話番号の１１桁目が一致することを検出し、挿入位置を特番数字列の最終桁と携帯電話番号の１１桁目との間の規定された位置に決定することを特徴とする。
【００２５】
この発明に係る位置検出手段は、既に挿入された識別番号が存在しない場合には、特番数字列の最終桁の次桁と携帯電話番号の１１桁目が一致することを検出し、挿入位置を特番数字列の最終桁と携帯電話番号の１１桁目との間に決定するので、通信事業者の識別番号の挿入位置を特番と携帯電話番号との間の規定された位置に設定することができる。
【００２６】
また、この発明に係る固定電話機の識別番号付加方法は、電話帳や短縮ダイヤルやワンタッチダイヤルに記憶されている携帯電話番号に通信事業者の識別番号を一括して挿入する固定電話機の識別番号付加方法であって、記憶された電話番号を読み出すステップＳ１と、電話番号の最終桁から若番方向へ１１桁の数字列があるか否かを判定するステップＳ２と、数字列が１１桁ある場合には、１１桁目から９桁目の数字列が０９０または０８０で、かつ８桁目が０以外の数字であるか否かを判定するステップＳ３と、数字列が０９０または０８０で、かつ８桁目が０以外の数字ある場合には、携帯電話番号として認識するステップＳ４と、携帯電話番号の最初の桁から複数の特番数字列があるか否かを判定するステップＳ５と、特番数字列がある場合には、特番数字列の最終桁の次桁から、携帯電話番号の最終桁から１１桁目の前桁までを識別番号の挿入位置と決定するステップＳ６と、特番数字列がない場合には、携帯電話番号の最終桁から１１桁目の前列までを識別番号の挿入位置と決定するステップＳ１１と、識別番号を挿入位置に挿入するステップＳ７と、識別番号を挿入した携帯電話番号を記憶するステップＳ８と、全ての電話番号に処理を実行したか否かを判断するステップＳ９と、全ての処理が実行された後に、識別番号を削除番号として記憶するステップＳ１０とを備えたことを特徴とする。
【００２７】
この発明に係る固定電話機の識別番号付加方法は、電話帳や短縮ダイヤルやワンタッチダイヤルに記憶されている携帯電話番号に通信事業者の識別番号を一括して挿入する固定電話機の識別番号付加方法であって、記憶された電話番号を読み出すステップＳ１と、電話番号の最終桁から若番方向へ１１桁の数字列があるか否かを判定するステップＳ２と、数字列が１１桁ある場合には、１１桁目から９桁目の数字列が０９０または０８０で、かつ８桁目が０以外の数字であるか否かを判定するステップＳ３と、数字列が０９０または０８０で、かつ８桁目が０以外の数字ある場合には、携帯電話番号として認識するステップＳ４と、携帯電話番号の最初の桁から複数の特番数字列があるか否かを判定するステップＳ５と、特番数字列がある場合には、特番数字列の最終桁の次桁から、携帯電話番号の最終桁から１１桁目の前桁までを識別番号の挿入位置と決定するステップＳ６と、特番数字列がない場合には、携帯電話番号の最終桁から１１桁目の前列までを識別番号の挿入位置と決定するステップＳ１１と、識別番号を挿入位置に挿入するステップＳ７と、識別番号を挿入した携帯電話番号を記憶するステップＳ８と、全ての電話番号に処理を実行したか否かを判断するステップＳ９と、全ての処理が実行された後に、識別番号を削除番号として記憶するステップＳ１０とを備えたので、電話帳や短縮ダイヤルやワンタッチダイヤルに登録された電話番号の中から携帯電話番号を特定し、所定位置に通信事業者の識別番号を挿入して再度登録する一連の動作を自動的に行うことができる。
【００２８】
さらに、この発明に係る固定電話機の識別番号付加方法は、ステップＳ７において、既に挿入された識別番号がある場合には、既に挿入された識別番号と削除番号とを比較するサブステップＳＵＢ１と、既に挿入された識別番号と削除番号が一致するか否かを判定するサブステップＳＵＢ２と、既に挿入された識別番号と削除番号が一致する場合には、既に挿入された識別番号を削除するサブステップＳＵＢ３とを備えたことを特徴とする。
【００２９】
この発明に係る固定電話機の識別番号付加方法は、ステップＳ７において、既に挿入された識別番号がある場合には、既に挿入された識別番号と削除番号とを比較するサブステップＳＵＢ１と、既に挿入された識別番号と削除番号が一致するか否かを判定するサブステップＳＵＢ２と、既に挿入された識別番号と削除番号が一致する場合には、既に挿入された識別番号を削除するサブステップＳＵＢ３とを備えたので、電話帳や短縮ダイヤルやワンタッチダイヤルに通信事業者の識別番号が一括して挿入された携帯電話番号を新たな通信事業者の識別番号に置き換える場合、既に挿入された識別番号を一括して削除し、新たな識別番号を一括して携帯電話番号に挿入することができる。
【００３０】
また、この発明に係る固定電話機の識別番号付加方法は、ステップＳ７において、既に挿入された識別番号がある場合には、既に挿入された識別番号と指定した識別番号とを比較するサブステップＳＵＢ４と、既に挿入された識別番号と指定した識別番号が異なるか否かを判定するサブステップＳＵＢ５と、既に挿入された識別番号と指定した識別番号が異なる場合には、既に挿入された識別番号を削除するサブステップＳＵＢ６とを備えたことを特徴とする。
【００３１】
この発明に係る固定電話機の識別番号付加方法は、ステップＳ７において、既に挿入された識別番号がある場合には、既に挿入された識別番号と指定した識別番号とを比較するサブステップＳＵＢ４と、既に挿入された識別番号と指定した識別番号が異なるか否かを判定するサブステップＳＵＢ５と、既に挿入された識別番号と指定した識別番号が異なる場合には、既に挿入された識別番号を削除するサブステップＳＵＢ６とを備えたので、電話帳や短縮ダイヤルやワンタッチダイヤルに登録されている携帯電話番号に既に識別番号が挿入されている場合には、挿入する識別番号と既に挿入されている識別番号を比較し、両者や異なる場合には、既に挿入されている識別番号を削除して新たな識別番号を携帯電話番号に一括して挿入し、電話帳や短縮ダイヤルやワンタッチダイヤルに再登録することができる。
【００３２】
さらに、この発明に係る固定電話機の識別番号付加方法は、電話帳や電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたことを特徴とする。
【００３３】
この発明に係る固定電話機の識別番号付加方法は、電話帳や電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたので、電話帳や短縮ダイヤルやワンタッチダイヤルのダイヤル発信時に、携帯電話番号に自動的に通信事業者の識別番号を付加してダイヤル発信することができる。
【発明の効果】
【００３４】
この発明に係る固定電話機は、電話帳や短縮ダイヤルやワンタッチダイヤルの電話番号を記憶する電話番号記憶手段と、指定した通信事業者の識別番号を記憶する識別番号記憶手段と、電話番号記憶手段に記憶されている電話番号を読み出し、携帯電話番号を抽出する携帯電話番号抽出手段と、携帯電話番号に識別番号を挿入する挿入位置を検出する位置検出手段と、位置検出手段が検出した挿入位置に識別番号を挿入する挿入手段と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段と、電話番号の状態を表示する表示手段と、入力手段とを備え、全ての携帯電話番号に識別番号を一括して挿入して記憶するので、電話帳や短縮ダイヤルやワンタッチダイヤルに登録された電話番号の中から携帯電話番号を特定し、所定位置に通信事業者の識別番号を挿入して再度登録する一連の動作を自動的に行うことができ、登録された全ての携帯電話番号について、固定発−携帯着の割安料金サービスを単純操作で受けられ、利便性の向上を実現することができる。
【００３５】
また、この発明に係る固定電話機は、電話帳や短縮ダイヤルやワンタッチダイヤルの電話番号を記憶する電話番号記憶手段と、指定した通信事業者の識別番号を記憶する識別番号記憶手段と、ダイヤル発信時に、該当する電話番号を読み出し、一時記憶するダイヤル番号記憶手段と、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段と、ダイヤル番号の状態を表示する表示手段と、入力手段とを備え、携帯電話番号のダイヤル発信時に、識別番号を付加して発信するので、電話帳や短縮ダイヤルやワンタッチダイヤルのダイヤル発信時に、携帯電話番号に自動的に通信事業者の識別番号を付加してダイヤル発信することができ、登録された全ての携帯電話番号について、固定発−携帯着の割安料金サービスを単純操作で受けられ、利便性の向上を実現することができる。
【００３６】
さらに、この発明に係る識別番号記憶手段は、既に挿入された識別番号を削除するための削除番号を記憶する削除番号記憶領域を有し、位置検出手段が識別番号を挿入する挿入位置を検出した時、識別番号が既に存在する場合には、既に挿入された識別番号と削除番号とを比較する比較手段と、既に挿入された識別番号と削除番号とが一致する場合には、既に挿入された識別番号を削除する削除手段とを備えたので、電話帳や短縮ダイヤルやワンタッチダイヤルに通信事業者の識別番号が一括して挿入された携帯電話番号を新たな通信事業者の識別番号に置き換える場合、既に挿入された識別番号を一括して削除し、新たな識別番号を一括して携帯電話番号に挿入することができ、既に挿入されている識別番号の削除および新たな識別番号の挿入を効率良く実行することができる。
【００３７】
また、この発明に係る削除番号記憶領域は、携帯電話番号制御手段によって全ての携帯電話番号に識別番号を挿入して記憶するシーケンスが実行された後に、挿入された識別番号を削除番号として記憶するので、一括挿入された識別番号を新たな識別番号挿入時の削除番号として準備することができ、前回挿入された識別番号の一括削除ならびに新たな識別番号の一括挿入をスムーズに実行することができる。
【００３８】
さらに、この発明に係る位置検出手段が識別番号を挿入する挿入位置を検出した時、識別番号が既に存在する場合には、既に挿入された識別番号と指定した識別番号とを比較する番号比較手段と、既に挿入された識別番号と指定した識別番号とが異なる場合には、既に挿入された識別番号を削除する識別番号削除手段とを備えたので、電話帳や短縮ダイヤルやワンタッチダイヤルに登録されている携帯電話番号に既に識別番号が挿入されている場合には、挿入する識別番号と既に挿入されている識別番号を比較し、両者や異なる場合には、既に挿入されている識別番号を削除して新たな識別番号を携帯電話番号に一括して挿入し、電話帳や短縮ダイヤルやワンタッチダイヤルに再登録することができ、既に挿入されている識別番号の削除および新たな識別番号の挿入を効率良く実行することができる。
【００３９】
また、この発明に係る携帯電話番号抽出手段は、携帯電話番号の最終桁から若番方向へ１１桁の数字列を検出するとともに、１１桁目から９桁目に携帯電話番号の特有な数字列（０９０または０８０）および８桁目に０以外の数字を検出するので、０９０または０８０で始まり８桁目が０以外の数字である１１桁の数字列から携帯電話番号を正確に抽出することができる。
【００４０】
さらに、この発明に係る位置検出手段は、複数の特番数字列を付加して記憶された携帯電話番号の最初の桁から複数の特番数字列を検出し、挿入位置を特番数字列の最終桁の次桁から、携帯電話番号抽出手段が検出した携帯電話番号の１１桁目の前桁までに決定するので、通信事業者の識別番号の挿入位置を特番と携帯電話番号との間に設定することができる。
【００４１】
また、この発明に係る位置検出手段は、既に挿入された識別番号が存在しない場合には、特番数字列の最終桁の次桁と携帯電話番号の１１桁目が一致することを検出し、挿入位置を特番数字列の最終桁と携帯電話番号の１１桁目との間に決定するので、通信事業者の識別番号の挿入位置を特番と携帯電話番号との間の規定された位置に設定することができる。
【００４２】
さらに、この発明に係る固定電話機の識別番号付加方法は、電話帳や短縮ダイヤルやワンタッチダイヤルに記憶されている携帯電話番号に通信事業者の識別番号を一括して挿入する固定電話機の識別番号付加方法であって、記憶された電話番号を読み出すステップＳ１と、電話番号の最終桁から若番方向へ１１桁の数字列があるか否かを判定するステップＳ２と、数字列が１１桁ある場合には、１１桁目から９桁目の数字列が０９０または０８０で、かつ８桁目が０以外の数字であるか否かを判定するステップＳ３と、数字列が０９０または０８０で、かつ８桁目が０以外の数字ある場合には、携帯電話番号として認識するステップＳ４と、携帯電話番号の最初の桁から複数の特番数字列があるか否かを判定するステップＳ５と、特番数字列がある場合には、特番数字列の最終桁の次桁から、携帯電話番号の最終桁から１１桁目の前桁までを識別番号の挿入位置と決定するステップＳ６と、特番数字列がない場合には、携帯電話番号の最終桁から１１桁目の前列までを識別番号の挿入位置と決定するステップＳ１１と、識別番号を挿入位置に挿入するステップＳ７と、識別番号を挿入した携帯電話番号を記憶するステップＳ８と、全ての電話番号に処理を実行したか否かを判断するステップＳ９と、全ての処理が実行された後に、識別番号を削除番号として記憶するステップＳ１０とを備えたので、電話帳や短縮ダイヤルやワンタッチダイヤルに登録された電話番号の中から携帯電話番号を特定し、所定位置に通信事業者の識別番号を挿入して再度登録する一連の動作を自動的に行うことができ、登録された全ての携帯電話番号について、固定発−携帯着の割安料金サービスを単純操作で受けられ、操作性ならびに利便性の向上を実現することができる。
【００４３】
また、この発明に係る固定電話機の識別番号付加方法は、ステップＳ７において、既に挿入された識別番号がある場合には、既に挿入された識別番号と削除番号とを比較するサブステップＳＵＢ１と、既に挿入された識別番号と削除番号が一致するか否かを判定するサブステップＳＵＢ２と、既に挿入された識別番号と削除番号が一致する場合には、既に挿入された識別番号を削除するサブステップＳＵＢ３とを備えたので、電話帳や短縮ダイヤルやワンタッチダイヤルに通信事業者の識別番号が一括して挿入された携帯電話番号を新たな通信事業者の識別番号に置き換える場合、既に挿入された識別番号を一括して削除し、新たな識別番号を一括して携帯電話番号に挿入することができ、既に挿入されている識別番号の削除および新たな識別番号の挿入を効率良く実行することができる。
【００４４】
さらに、この発明に係る固定電話機の識別番号付加方法は、ステップＳ７において、既に挿入された識別番号がある場合には、既に挿入された識別番号と指定した識別番号とを比較するサブステップＳＵＢ４と、既に挿入された識別番号と指定した識別番号が異なるか否かを判定するサブステップＳＵＢ５と、既に挿入された識別番号と指定した識別番号が異なる場合には、既に挿入された識別番号を削除するサブステップＳＵＢ６とを備えたので、電話帳や短縮ダイヤルやワンタッチダイヤルに登録されている携帯電話番号に既に識別番号が挿入されている場合には、新たに挿入する識別番号と既に挿入されている識別番号を比較し、両者や異なる場合には、既に挿入されている識別番号を一括して削除して新たな識別番号を携帯電話番号に一括して挿入し、電話帳や短縮ダイヤルやワンタッチダイヤルに再登録することができ、既に挿入されている識別番号の削除および新たな識別番号の挿入を効率良く実行することができる。
【００４５】
また、この発明に係る固定電話機の識別番号付加方法は、電話帳や電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたので、電話帳や短縮ダイヤルやワンタッチダイヤルのダイヤル発信時に、携帯電話番号に自動的に通信事業者の識別番号を付加してダイヤル発信することができ、登録された全ての携帯電話番号について、固定発−携帯着の割安料金サービスを単純操作で受けられ、操作性ならびに利便性の向上を実現することができる。
【発明を実施するための最良の形態】
【００４６】
以下、この発明の実施の形態を添付図面に基づいて説明する。図１はこの発明に係る固定電話機の一実施の形態要部機能ブロック構成図である。なお、本実施の形態は、固定電話機（一般加入電話機）の電話帳や短縮ダイヤルやワンタッチダイヤルに登録された加入電話機の電話番号の中から携帯電話番号を検出し、通信事業者の識別番号を携帯電話番号に一括挿入して、電話帳や短縮ダイヤルやワンタッチダイヤルに再登録するものである。
【００４７】
図１において、固定電話機１は、携帯電話番号制御手段２、電話番号記憶手段３、識別番号記憶手段４、携帯電話番号抽出手段５、位置検出手段６、挿入手段７、入力手段８、表示手段９、回線インタフェース１０を備え、加入者回線Ｌを介して公衆回線網ＮＴに接続する。なお、携帯電話番号制御手段２、携帯電話番号抽出手段５、位置検出手段６および挿入手段７は、マイクロプロセッサを基本に構成し、各種比較機能、演算機能、処理機能を備え、シーケンスプログラムにより携帯電話番号の抽出、識別番号の挿入位置の検出、識別番号の挿入などの動作を実行する。
【００４８】
携帯電話番号制御手段２は、電話番号記憶手段３に登録（記憶）された電話帳や短縮ダイヤルやワンタッチダイヤルの電話番号を読み出し、携帯電話番号抽出手段５を制御して読み出した電話番号の中から携帯電話番号（０９０または０８０で始まる１１桁の数字列）の抽出を実行する。
【００４９】
また、携帯電話番号制御手段２は、抽出した携帯電話番号について、位置検出手段６を制御して携帯電話番号の最初桁から特番の数字列を検出し、特番の数字列と携帯電話番号（０９０または０８０で始まる１１桁の数字列）との間を通信事業者の識別番号の挿入位置に決定する動作を実行する。
【００５０】
さらに、携帯電話番号制御手段２は、挿入手段７を制御して決定した挿入位置に、通信事業者の識別番号を挿入する動作を実行する。
【００５１】
また、携帯電話番号制御手段２は、通信事業者の識別番号を挿入した携帯電話番号を電話番号記憶手段３に再登録（記憶）する制御を実行する。
【００５２】
さらに、携帯電話番号制御手段２は、入力手段８から入力される電話番号や通信事業者の識別番号、電話番号記憶手段３から読み出した携帯電話番号を含む電話番号、通信事業者の識別番号を挿入する挿入位置を示した携帯電話番号、通信事業者の識別番号を挿入した携帯電話番号を表示手段９に表示する制御を実行する。
【００５３】
電話番号記憶手段３は、ＲＡＭ、ＥＥＰＲＯＭ、フラッシュメモリなどの書替え可能なメモリで構成し、電話帳や短縮ダイヤルやワンタッチダイヤルの電話番号を記憶する。また、電話番号記憶手段３は、通信事業者の識別番号が挿入された携帯電話番号を再登録（記憶）する。
【００５４】
識別番号記憶手段４は、ＲＡＭ、ＥＥＰＲＯＭ、フラッシュメモリなどの書替え可能なメモリで構成し、入力手段８から入力された通信事業者の識別番号を登録（記憶）する。
【００５５】
ここで、通信事業者の識別番号と、固定発−携帯着の割安料金サービスについて説明する。通信事業者の識別番号は、例えばＮＴＴ東日本殿は、「００３６」、ＫＤＤＩ殿は、「００７７」などであり、固定電話機から携帯電話機にダイヤル発信する場合に、携帯電話番号（０９０または０８０で始まる１１桁の数字列）の先頭に、識別番号（例えば、「００３６」や「００７７」）を付加してダイヤル発信すると、携帯電話機との通話料金が割安になるサービスである。
【００５６】
固定電話機の電話帳や短縮ダイヤルやワンタッチダイヤルに登録する携帯電話番号には、０９０や０８０で始まる１１桁の数字列の前に、固定電話機の電話番号の非通知（１８４番）の特番やマイラインプラスの解除（１２２番）の特番などが付加される場合があり、例えば携帯電話番号が１８４１２２０９０１２３４５６７８で登録されているケースでは、固定発−携帯着の割安料金サービスを受けるためには、識別番号（例えば、「００３６」）を１２２と０９０の間に挿入し、１８４１２２００３６０９０１２３４５６７８として再登録しなければならない。
【００５７】
携帯電話番号抽出手段５は、携帯電話番号制御手段２の制御により、電話番号記憶手段３から読み出した電話番号の中から携帯電話番号を抽出する。携帯電話番号の抽出方法は、読み出した電話番号の最終桁から１１桁の数字列を検出し、最終桁から１１桁目が「０」、１０桁目が「９」または「８」、９桁目が「０」と検出され、しかも８桁目が「０」以外の数字であると検出された場合には、「０９０」または「０８０」で始まる１１桁の数字列を携帯電話番号と特定して抽出する。一方、読み出した電話番号の最終桁から１１桁未満の数字列の場合には、携帯電話番号ではないと検出（例えば、１０桁の固定電話番号）し、なんら処理をしない。
【００５８】
位置検出手段６は、携帯電話番号制御手段２の制御により、携帯電話番号抽出手段５が検出した携帯電話番号に通信事業者の識別番号（例えば、ＮＴＴ東日本殿の「００３６」）を挿入するための挿入位置を検出する。識別番号の挿入位置の検出方法は、携帯電話番号に前述の特番が含まれている場合があるので、検出した携帯電話番号の最初の桁から順番に数字列を検出し、特番か否かを確認することによって複数の特番数字列を検出する。
【００５９】
また、位置検出手段６は、識別番号（例えば、「００３６」）の挿入位置を、特番数字列の最終桁の次の桁から、携帯電話番号抽出手段５が検出した携帯電話番号の最終桁から１１桁目の前の桁に決定する。なお、特番数字列が検出されない場合には、識別番号（例えば、「００３６」）の挿入位置を、携帯電話番号の最終桁から１１桁目の前に決定する。
【００６０】
さらに、位置検出手段６は、既に挿入された識別番号が存在しない場合には、特番数字列の最終桁の次桁と携帯電話番号の１１桁目が一致することを検出し、挿入位置を特番数字列の最終桁と携帯電話番号の１１桁目との間に決定する。
【００６１】
挿入手段７は、携帯電話番号制御手段２の制御により、位置検出手段６が決定した挿入位置に、識別番号記憶手段４から読み出した通信事業者の識別番号（例えば、ＮＴＴ東日本殿の「００３６」）を挿入する。
【００６２】
入力手段は、ダイヤルキー（０〜９の１０キー＋＊および＃キー）、短縮ダイヤルキー、ワンタッチダイヤルキーなどの機能キーを備え、キー情報を携帯電話番号制御手段２に提供する。
【００６３】
表示手段９は、ＬＣＤなどの表示器で構成し、携帯電話番号を含む電話番号の状態を表示する。
【００６４】
回線インタフェース１０は、ダイヤル発信時の電話番号を加入者回線Ｌに送信し、相手電話機と接続されると、通話信号の送信／受信を実行する。
【００６５】
次に、携帯電話番号の抽出、特番数字列の検出、識別番号の挿入位置の決定、識別番号の挿入について説明する。図５はこの発明に係る識別番号挿入の一実施の形態状態説明図である。図５において、読み出した携帯電話番号には、特番ａ（００００番：ＩＰからＰＳＴＮへの変換）、特番ｂ（１８４：番号非通知）および特番ｃ（１２２：マイラインプラス解除）の特番が、１１桁の携帯電話番号（０９０１２３４５６７８）に付加されているとする。
【００６６】
まず、携帯電話番号であることを、最終桁から１１桁目までの数字列を１桁づつ検出し、１１桁目から９桁目の数字列が「０９０」であることを検出することにより、携帯電話番号であることを抽出する。
【００６７】
次に、最初の桁から複数の特番数字列を１桁づつ数字であることを検出することにより、特番ａ、特番ｂおよび特番ｃであることを検出する。
【００６８】
続いて、特番数字列の最終桁（特番ｃの３桁目の数字「２」）の次の桁から携帯電話番号の最終桁から１１桁目の数字「０」の前の桁までを、識別番号（例えば、「００３６」）の挿入位置に決定する。
【００６９】
さらに、決定した挿入位置に、識別番号（例えば、「００３６」）を挿入し、識別番号を挿入した携帯電話番号（００００１８４１２２００３６０９０１２３４５６７８）を生成し、電話帳や短縮ダイヤルやワンタッチダイヤルに再登録する。
【００７０】
一方、特番が付加されていない場合には、携帯電話番号の１桁目と、最終桁から１１行目とが一致するので、携帯電話番号（例えば、０９０１２３４５６７８）の前を挿入位置に決定して識別番号（例えば、「００３６」）を挿入し、識別番号を挿入した携帯電話番号（００３６０９０１２３４５６７８）を生成し、電話帳や短縮ダイヤルやワンタッチダイヤルに再登録する。
【００７１】
このように、この発明に係る携帯電話番号抽出手段５は、携帯電話番号の最終桁から若番方向へ１１桁の数字列を検出するとともに、１１桁目から９桁目に携帯電話番号の特有な数字列（０９０または０８０）および８桁目に０以外の数字を検出するので、０９０または０８０で始まり８桁目が０以外の数字である１１桁の数字列から携帯電話番号を正確に抽出することができる。
【００７２】
また、この発明に係る位置検出手段６は、複数の特番数字列を付加して記憶された携帯電話番号の最初の桁から複数の特番数字列を検出し、挿入位置を特番数字列の最終桁の次桁から、携帯電話番号抽出手段が検出した携帯電話番号の１１桁目の前桁までに決定するので、通信事業者の識別番号の挿入位置を特番と携帯電話番号との間に設定することができる。
【００７３】
さらに、この発明に係る位置検出手段６は、既に挿入された識別番号が存在しない場合には、特番数字列の最終桁の次桁と携帯電話番号の１１桁目が一致することを検出し、挿入位置を特番数字列の最終桁と携帯電話番号の１１桁目との間に決定するので、通信事業者の識別番号の挿入位置を特番と携帯電話番号との間の規定された位置に設定することができる。
【００７４】
次に、通信事業者（例えば、ＮＴＴ東日本殿）の識別番号（「００３６」番）を既に一括して携帯電話番号に挿入しており、他の通信事業者（例えば、ＫＤＤＩ殿）の識別番号（００７７）に変更する場合について説明する。
【００７５】
図２は図１に示す固定電話機の一実施の形態部分機能ブロック構成図である。図２において、固定電話機１は、２個の識別番号を登録できる識別番号記憶領域４ａおよび既に挿入されている識別番号を削除するための削除番号を登録（記憶）できる削除番号記憶領域４ｂを有する識別番号記憶手段４、比較手段１１、および削除手段１２を図１に追加した構成である。
【００７６】
識別番号記憶手段４は、最初に識別番号（例えば、「００３６」番）が入力された場合、識別番号「００３６」番を識別番号記憶領域４ａの一方（例えば、識別番号「００７７」が表示された領域）に登録し、図１に示す電話番号記憶手段３に登録されている全ての携帯電話番号に識別番号「００３６」が挿入され、識別番号「００３６」が挿入された携帯電話番号が電話番号記憶手段３に再登録された時点で、識別番号記憶領域４ａの他方（例えば、識別番号「００３６」が表示された領域）に移す。
【００７７】
一方、携帯電話番号制御手段２は、識別番号「００３６」が挿入された携帯電話番号が電話番号記憶手段３に再登録された時点で、既に登録されている識別番号「００３６」を削除番号として削除番号記憶領域４ｂに登録（記憶）させる。
【００７８】
また、識別番号記憶手段４は、図１に示す入力手段８から新たな識別番号（例えば、ＫＤＤＩ殿の「００７７」番）が入力されると、新たな識別番号（「００７７」番）を識別番号記憶領域４ａの一方に登録すると、図１に示す位置検出手段６が新たな識別番号（「００７７」番）の挿入位置を決定するが、決定した挿入位置には、既に挿入された識別番号（「００３６」番）が存在する。
【００７９】
比較手段１１は、既に挿入された識別番号（「００３６」番）と削除番号（「００３６」番）を比較し、既に挿入された識別番号（「００３６」番）と削除番号（「００３６」番）が一致するか否かを判定する。
【００８０】
削除手段１２は、比較手段１１で比較した識別番号（「００３６」番）と削除番号（「００３６」番）が一致する場合には、識別番号の挿入位置に既に挿入されている識別番号（「００３６」）を削除する。
【００８１】
また、削除手段１２は、識別番号記憶領域４ａの識別番号（「００３６」番）および削除番号記憶領域４ｂの削除番号（「００３６」番）を削除する。
【００８２】
これ以降の新たな識別番号の携帯電話番号への挿入は、図１および図５で説明した動作（または、状態）と同じである。このように、全ての携帯電話番号に既に挿入された識別番号（例えば、「００３６」番）の一括削除と新たな識別番号（例えば、「００７７」番）の一括挿入を実行することができる。
【００８３】
このように、この発明に係る識別番号記憶手段４は、既に挿入された識別番号（例えば、「００３６」番）を削除するための削除番号（「００３６」番）を記憶する削除番号記憶領域４ｂを有し、位置検出手段６が識別番号を挿入する挿入位置を検出した時、識別番号が既に存在する場合には、既に挿入された識別番号（「００３６」番）と削除番号（「００３６」番）とを比較する比較手段１１と、既に挿入された識別番号と削除番号とが一致する場合には、既に挿入された識別番号を削除する削除手段１２とを備えたので、電話帳や短縮ダイヤルやワンタッチダイヤルに通信事業者（例えば、ＮＴＴ東日本殿）の識別番号（「００３６」番）が一括して挿入された携帯電話番号を新たな通信事業者（例えば、ＫＤＤＩ殿）の識別番号（「００７７」番）に置き換える場合、既に挿入された識別番号を一括して削除し、新たな識別番号を一括して携帯電話番号に挿入することができ、既に挿入されている識別番号の削除および新たな識別番号の挿入を効率良く実行することができる。
【００８４】
また、この発明に係る削除番号記憶領域４ｂは、携帯電話番号制御手段２によって全ての携帯電話番号に識別番号を挿入して記憶するシーケンスが実行された後に、挿入された識別番号を削除番号として記憶するので、一括挿入された識別番号を新たな識別番号挿入時の削除番号として準備することができ、前回挿入された識別番号の一括削除ならびに新たな識別番号の一括挿入をスムーズに実行することができる。
【００８５】
図３は図１に示す固定電話機の別実施の形態部分機能ブロック構成図である。図３において、固定電話機１は、２個の識別番号を登録できる識別番号記憶領域４ａを有する識別番号記憶手段４、番号比較手段１４、および識別番号削除手段１５を図１に追加した構成である。
【００８６】
識別番号記憶手段４は、最初に識別番号（例えば、「００３６」番）が入力された場合、識別番号「００３６」番を識別番号記憶領域４ａの一方（例えば、識別番号「００７７」が表示された領域）に登録し、図１に示す電話番号記憶手段３に登録されている全ての携帯電話番号に識別番号「００３６」が挿入され、識別番号「００３６」が挿入された携帯電話番号が電話番号記憶手段３に再登録された時点で、識別番号記憶領域４ａの他方（例えば、識別番号「００３６」が表示された領域）に移す。
【００８７】
また、識別番号記憶手段４は、図１に示す入力手段８から新たな識別番号（例えば、ＫＤＤＩ殿の「００７７」番）が入力されると、新たな識別番号（「００７７」番）を識別番号記憶領域４ａの一方に登録すると、図１に示す位置検出手段６が新たな識別番号（「００７７」番）の挿入位置を決定するが、決定した挿入位置には、既に挿入された識別番号（「００３６」番）が存在する。
【００８８】
番号比較手段１４は、既に挿入された識別番号（「００３６」番）と新たな識別番号（「００７７」番）を比較し、既に挿入された識別番号（「００３６」番）と新たな識別番号（「００７７」番）が一致するか否かを判定する。
【００８９】
識別番号削除手段１５は、番号比較手段１４で比較した識別番号（「００３６」番）と削除番号（「００７７」番）が異なる場合には、識別番号の挿入位置に既に挿入されている識別番号（「００３６」）を削除する。
【００９０】
また、識別番号削除手段１５は、識別番号記憶領域４ａの識別番号（「００３６」番）を削除する。
【００９１】
これ以降の新たな識別番号の携帯電話番号への挿入は、図１および図５で説明した動作（または、状態）と同じである。このように、全携帯電話番号に既に挿入された識別番号（例えば、「００３６」番）の一括削除と新たな識別番号（例えば、「００７７」番）の一括挿入を実行することができる。
【００９２】
このように、この発明に係る位置検出手段６が識別番号を挿入する挿入位置を検出した時、識別番号が既に存在する場合には、既に挿入された識別番号（例えば、「００３６」番）と指定した（新たな）識別番号（例えば、「００７７」番）とを比較する番号比較手段１４と、既に挿入された識別番号と指定した識別番号とが異なる場合には、既に挿入された識別番号を削除する識別番号削除手段１５とを備えたので、電話帳や短縮ダイヤルやワンタッチダイヤルに登録されている携帯電話番号に既に識別番号が挿入されている場合には、挿入する識別番号（例えば、「００７７」番）と既に挿入されている識別番号（例えば、「００３６」番）を比較し、両者や異なる場合には、既に挿入されている識別番号を削除して新たな識別番号を携帯電話番号に一括して挿入し、電話帳や短縮ダイヤルやワンタッチダイヤルに再登録することができ、既に挿入されている識別番号の削除および新たな識別番号の挿入を効率良く実行することができる。
【００９３】
以上説明したように、この発明に係る固定電話機１は、電話帳や短縮ダイヤルやワンタッチダイヤルの電話番号を記憶する電話番号記憶手段３と、指定した通信事業者の識別番号を記憶する識別番号記憶手段４と、電話番号記憶手段３に記憶されている電話番号を読み出し、携帯電話番号を抽出する携帯電話番号抽出手段５と、携帯電話番号に識別番号を挿入する挿入位置を検出する位置検出手段６と、位置検出手段６が検出した挿入位置に識別番号を挿入する挿入手段７と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段２と、電話番号の状態を表示する表示手段９と、入力手段８とを備え、全ての携帯電話番号に識別番号を一括して挿入して記憶するので、電話帳や短縮ダイヤルやワンタッチダイヤルに登録された電話番号の中から携帯電話番号を特定し、所定位置に通信事業者の識別番号を挿入して再度登録する一連の動作を自動的に行うことができ、登録された全ての携帯電話番号について、固定発−携帯着の割安料金サービスを単純操作で受けられ、利便性の向上を実現することができる。
【００９４】
図４はこの発明に係る固定電話機の別実施の形態要部機能ブロック構成図である。なお、本実施の形態は、ダイヤル発信時に、固定電話機（一般加入電話機）の電話帳や短縮ダイヤルやワンタッチダイヤルに登録された電話番号の中から携帯電話番号を検出し、自動的にダイヤル番号（携帯電話番号）に通信事業者の識別番号を付加して、電話回線に送出するものである。
【００９５】
図４において、固定電話機１６は、ダイヤル発信制御手段１７、電話番号記憶手段３、識別番号記憶手段４、ダイヤル番号記憶手段１８、携帯電話番号抽出手段５、位置検出手段６、挿入手段７、入力手段８、表示手段９、回線インタフェース１０を備え、加入者回線Ｌを介して公衆回線網ＮＴに接続する。なお、ダイヤル発信制御手段１７、携帯電話番号抽出手段５、位置検出手段６および挿入手段７は、マイクロプロセッサを基本に構成し、各種比較機能、演算機能、処理機能を備え、シーケンスプログラムにより携帯電話番号の抽出、識別番号の挿入位置の検出、識別番号の挿入などの動作を実行する。
【００９６】
なお、電話番号記憶手段３、識別番号記憶手段４、携帯電話番号抽出手段５、位置検出手段６、挿入手段７、入力手段８、表示手段９および回線インタフェース１０は、図１に示すものと同一構成、同一動作をするので説明を省略し、ダイヤル発信制御手段１７およびダイヤル番号記憶手段１８について説明する。
【００９７】
ダイヤル発信制御手段１７は、入力手段８からダイヤル発信（例えば、ワンタッチダイヤル発信）の操作がなされると、電話番号記憶手段３に登録（記憶）された電話番号の中から該当する電話番号を読み出し、読み出した電話番号をダイヤル番号記憶手段１８に一時記憶させる制御を実行する。
【００９８】
また、ダイヤル発信制御手段１７は、携帯電話番号抽出手段５を制御してダイヤル番号記憶手段１８に記憶された電話番号の中から携帯電話番号（０９０または０８０で始まる１１桁の数字列）の抽出を実行する。
【００９９】
さらに、ダイヤル発信制御手段１７は、抽出した携帯電話番号について、位置検出手段６を制御して携帯電話番号の最初桁から特番の数字列を検出し、特番の数字列と携帯電話番号（０９０または０８０で始まる１１桁の数字列）との間を通信事業者の識別番号の挿入位置に決定する動作を実行する。
【０１００】
また、ダイヤル発信制御手段１７は、挿入手段７を制御して決定した挿入位置に、識別番号記憶手段４に記憶された通信事業者の識別番号を挿入する動作を実行する。
【０１０１】
さらに、ダイヤル発信制御手段１７は、通信事業者の識別番号を挿入した携帯電話番号をダイヤル番号記憶手段１８に再登録（記憶）し、再登録（記憶）した携帯電話番号をダイヤル番号として回線インタフェース１０から加入者回線Ｌに送出する制御を実行する。
【０１０２】
また、ダイヤル発信制御手段１７は、入力手段８から入力される電話番号や通信事業者の識別番号、電話番号記憶手段３から読み出した携帯電話番号を含む電話番号、通信事業者の識別番号を挿入する挿入位置を示した携帯電話番号、通信事業者の識別番号を挿入した携帯電話番号を表示手段９に表示する制御を実行する。
【０１０３】
なお、ダイヤル発信制御手段１７は、ダイヤル番号が携帯電話番号でなく固定電話機の電話番号であることを検出した場合には、電話番号記憶手段３から読み出した電話番号をダイヤル番号として回線インタフェース１０から加入者回線Ｌに送出する制御を実行する。
【０１０４】
ダイヤル番号記憶手段１８は、レジスタなどで構成し、ダイヤル発信制御手段１７の制御により、電話番号記憶手段３から読み出された電話番号をダイヤル番号として一時記憶する。
【０１０５】
また、ダイヤル番号記憶手段１８は、ダイヤル発信制御手段１７の制御により、携帯電話番号に指定した通信事業者の識別番号が挿入されたダイヤル番号を一時記憶する。
【０１０６】
さらに、ダイヤル番号記憶手段１８は、ダイヤル発信制御手段１７の制御により、一時記憶したダイヤル番号を回線インタフェース１０に供給する。
【０１０７】
このように、この発明に係る固定電話機１６は、電話帳や短縮ダイヤルやワンタッチダイヤルの電話番号を記憶する電話番号記憶手段３と、指定した通信事業者の識別番号を記憶する識別番号記憶手段４と、ダイヤル発信時に、該当する電話番号を読み出し、一時記憶するダイヤル番号記憶手段１８と、ダイヤル番号が携帯電話番号であることを抽出する携帯電話番号抽出手段５と、携帯電話番号に識別番号を挿入する挿入位置を検出する位置検出手段６と、位置検出手段６が検出した挿入位置に識別番号を挿入する挿入手段７と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段１７と、ダイヤル番号の状態を表示する表示手段９と、入力手段８とを備え、携帯電話番号のダイヤル発信時に、識別番号を付加して発信するので、電話帳や短縮ダイヤルやワンタッチダイヤルのダイヤル発信時に、携帯電話番号に自動的に通信事業者の識別番号を付加してダイヤル発信することができ、登録された全ての携帯電話番号について、固定発−携帯着の割安料金サービスを単純操作で受けられ、利便性の向上を実現することができる。
【０１０８】
次に、固定電話機の識別番号付加方法について説明する。
【０１０９】
図６はこの発明に係る固定電話機の識別番号付加方法の一実施の形態動作フロー図である。なお、本実施の形態は、固定電話機（一般加入電話機）の電話帳や短縮ダイヤルやワンタッチダイヤルに登録された電話番号の中から携帯電話番号を検出し、通信事業者の識別番号を携帯電話番号に一括挿入して、電話帳や短縮ダイヤルやワンタッチダイヤルに再登録する方法である。
【０１１０】
図６において、この発明に係る固定電話機の識別番号付加方法は、電話帳や短縮ダイヤルやワンタッチダイヤルに記憶されている携帯電話番号に通信事業者の識別番号を一括して挿入する固定電話機の識別番号付加方法であって、ステップＳ１で、記憶された電話番号を読み出す。
【０１１１】
ステップＳ２では、電話番号の最終桁から若番方向へ１１桁の数字列があるか否かを判定し、１１桁の数字列がある場合にはステップＳ３に移行する。一方、１１桁の数字列がない場合にはステップＳ９に移行する。
【０１１２】
ステップＳ３では、数字列の１１桁目から９桁目の数字列が０９０または０８０で、かつ８桁目が０以外の数字であるか否かを判定し、数字列が０９０または０８０で、かつ８桁目が０以外の数字である場合にはステップＳ４に移行する。一方、数字列が０９０または０８０でない場合、または数字列が０９０または０８０であっても８桁目が０の数字である場合にはステップＳ９に移行する。
【０１１３】
ステップＳ４では、電話番号を携帯電話番号として認識する。
【０１１４】
ステップＳ５では、携帯電話番号の最初の桁から複数の特番数字列があるか否かを判定し、特番数字列がある場合にはステップＳ６に移行する。一方、特番数字列がない場合にはステップＳ１１に移行する。
【０１１５】
ステップＳ６では、特番数字列の最終桁の次桁から、携帯電話番号の最終桁から１１桁目の前桁までを識別番号の挿入位置と決定する。
【０１１６】
ステップＳ１１では、携帯電話番号の最終桁から１１桁目の前桁までを識別番号の挿入位置と決定し、ステップＳ７に移行する。
【０１１７】
ステップＳ７で、識別番号を挿入位置に挿入し、ステップＳ８では、識別番号を挿入した携帯電話番号を記憶する。
【０１１８】
ステップＳ９では、全ての電話番号に処理を実行したか否かを判断し、全ての処理が実行された場合にはステップＳ１０に移行する。一方、全ての処理が実行されていない場合には、ステップＳ１からステップＳ８の処理を全ての電話番号について実行する。
【０１１９】
ステップＳ１０では、識別番号を削除番号として記憶する。
【０１２０】
このように、この発明に係る固定電話機の識別番号付加方法は、電話帳や短縮ダイヤルやワンタッチダイヤルに記憶されている携帯電話番号に通信事業者の識別番号を一括して挿入する固定電話機の識別番号付加方法であって、記憶された電話番号を読み出すステップＳ１と、電話番号の最終桁から若番方向へ１１桁の数字列があるか否かを判定するステップＳ２と、数字列が１１桁ある場合には、１１桁目から９桁目の数字列が０９０または０８０で、かつ８桁目が０以外の数字であるか否かを判定するステップＳ３と、数字列が０９０または０８０で、かつ８桁目が０以外の数字ある場合には、携帯電話番号として認識するステップＳ４と、携帯電話番号の最初の桁から複数の特番数字列があるか否かを判定するステップＳ５と、特番数字列がある場合には、特番数字列の最終桁の次桁から、携帯電話番号の最終桁から１１桁目の前桁までを識別番号の挿入位置と決定するステップＳ６と、特番数字列がない場合には、携帯電話番号の最終桁から１１桁目の前列までを識別番号の挿入位置と決定するステップＳ１１と、識別番号を挿入位置に挿入するステップＳ７と、識別番号を挿入した携帯電話番号を記憶するステップＳ８と、全ての電話番号に処理を実行したか否かを判断するステップＳ９と、全ての処理が実行された後に、識別番号を削除番号として記憶するステップＳ１０とを備えたので、電話帳や短縮ダイヤルやワンタッチダイヤルに登録された電話番号の中から携帯電話番号を特定し、所定位置に通信事業者の識別番号を挿入して再度登録する一連の動作を自動的に行うことができ、登録された全ての携帯電話番号について、固定発−携帯着の割安料金サービスを単純操作で受けられ、操作性ならびに利便性の向上を実現することができる。
【０１２１】
図７は図６に示す固定電話機の識別番号付加方法の一実施の形態部分動作フロー図である。なお、本実施の形態は、識別番号が既に挿入されており、新たな識別番号を挿入するケースの部分動作フロー図である。
【０１２２】
図６のステップＳ７において、既に挿入された識別番号があることを想定して、サブステップＳＵＢ１で、既に挿入された識別番号と削除番号とを比較する。
【０１２３】
サブステップＳＵＢ２では、既に挿入された識別番号と削除番号が一致するか否かを判定し、一致する場合にはサブステップＳＵＢ３に移行する。一方、一致しない場合には図６のステップＳ９に移行する。ここで、既に挿入された識別番号が無く削除番号がある場合には、一致しないとしてステップＳ９に移行する。また、既に挿入された識別番号が無く削除番号も無い場合には、一致したとしてサブステップＳＵＢ３に移行する。
【０１２４】
サブステップＳＵＢ３では、既に挿入された識別番号を削除し、（新たな）識別番号を挿入位置に挿入する。これにより、既に挿入された識別番号が削除され、新たな識別番号が挿入されることになる。また、新たな識別番号が登録されていない場合には、削除のみが行われることとなる。さらに、既に挿入された識別番号が無く削除番号も無い場合には、挿入のみが行われることとなる。
【０１２５】
このように、この発明に係る固定電話機の識別番号付加方法は、ステップＳ７において、既に挿入された識別番号がある場合には、既に挿入された識別番号と削除番号とを比較するサブステップＳＵＢ１と、既に挿入された識別番号と削除番号が一致するか否かを判定するサブステップＳＵＢ２と、既に挿入された識別番号と削除番号が一致する場合には、既に挿入された識別番号を削除するサブステップＳＵＢ３とを備えたので、電話帳や短縮ダイヤルやワンタッチダイヤルに通信事業者の識別番号が一括して挿入された携帯電話番号を新たな通信事業者の識別番号に置き換える場合、既に挿入された識別番号を一括して削除し、新たな識別番号を一括して携帯電話番号に挿入することができ、既に挿入されている識別番号の削除および新たな識別番号の挿入を効率良く実行することができる。
【０１２６】
図８は図６に示す固定電話機の識別番号付加方法の別実施の形態部分動作フロー図である。なお、本実施の形態は、識別番号が既に挿入されており、新たな識別番号を挿入するケースの部分動作フロー図である。
【０１２７】
図６のステップＳ７において、既に挿入された識別番号があることを想定して、サブステップＳＵＢ４で、既に挿入された識別番号と指定した識別番号とを比較する。
【０１２８】
サブステップＳＵＢ５では、既に挿入された識別番号と指定した識別番号が異なるか否かを判定し、識別番号と指定した識別番号が異なる場合にはサブステップＳＵＢ６に移行する。一方、識別番号と指定した識別番号が同じ場合には図６のステップＳ９に移行する。ここで、既に挿入された識別番号が無い場合には、識別番号が異なるためサブステップＳＵＢ６に移行する。
【０１２９】
サブステップＳＵＢ６では、既に挿入された識別番号を削除し、（新たな）識別番号を挿入位置に挿入する。これにより、既に挿入された識別番号が削除され、新たな識別番号が挿入されることになる。また、既に挿入された識別番号が無い場合には、挿入のみが行われることとなる。なお、本実施の形態を適用する場合には、図６に示すステップＳ１０（識別番号を削除番号として記憶）を削除する。
【０１３０】
このように、この発明に係る固定電話機の識別番号付加方法は、ステップＳ７において、既に挿入された識別番号がある場合には、既に挿入された識別番号と指定した識別番号とを比較するサブステップＳＵＢ４と、既に挿入された識別番号と指定した識別番号が異なるか否かを判定するサブステップＳＵＢ５と、既に挿入された識別番号と指定した識別番号が異なる場合には、既に挿入された識別番号を削除するサブステップＳＵＢ６とを備えたので、電話帳や短縮ダイヤルやワンタッチダイヤルに登録されている携帯電話番号に既に識別番号が挿入されている場合には、新たに挿入する識別番号と既に挿入されている識別番号を比較し、両者や異なる場合には、既に挿入されている識別番号を一括して削除して新たな識別番号を携帯電話番号に一括して挿入し、電話帳や短縮ダイヤルやワンタッチダイヤルに再登録することができ、既に挿入されている識別番号の削除および新たな識別番号の挿入を効率良く実行することができる。
【０１３１】
図９はこの発明に係る固定電話機の識別番号付加方法の別実施の形態動作フロー図である。なお、本実施の形態は、ダイヤル発信時に、固定電話機（一般加入電話機）の電話帳や短縮ダイヤルやワンタッチダイヤルに登録された電話番号の中から携帯電話番号を検出し、自動的にダイヤル番号（携帯電話番号）に通信事業者の識別番号を付加して、電話回線に送出する方法である。
【０１３２】
図６において、この発明に係る固定電話機の識別番号付加方法は、電話帳や電話帳や短縮ダイヤルやワンタッチダイヤルに記憶されている携帯電話番号のダイヤル発信時に、識別番号を付加して発信する固定電話機の識別番号付加方法であって、ステップＰ１で、該当する電話番号を読み出し、一時記憶する。
【０１３３】
ステップＰ２では、電話番号の最終桁から若番方向へ１１桁の数字列があるか否かを判定し、１１桁の数字列がある場合にはステップＰ３に移行する。一方、１１桁の数字列がない場合にはステップＰ１０に移行する。
【０１３４】
ステップＰ３では、１１桁目から９桁目の数字列が０９０または０８０で、かつ８桁目が０以外の数字であるか否かを判定し、数字列が０９０または０８０で、かつ８桁目が０以外の数字である場合にはステップＰ４に移行する。一方、数字列が０９０または０８０でない場合、または数字列が０９０または０８０であっても８桁目が０である場合にはステップＰ１０に移行する。
【０１３５】
ステップＰ４では、該当する電話番号を携帯電話番号として認識する。
【０１３６】
ステップＰ５では、携帯電話番号の最初の桁から複数の特番数字列があるか否かを判定し、特番数字列がある場合にはステップＰ６に移行する。一方、特番数字列がない場合にはステップＰ９に移行する。
【０１３７】
ステップＰ６では、特番数字列の最終桁の次桁から、携帯電話番号の最終桁から１１桁目の前桁までを識別番号の挿入位置と決定する。
【０１３８】
ステップＰ９では、携帯電話番号の最終桁から１１桁目の前桁までを識別番号の挿入位置と決定する。
【０１３９】
ステップＰ７では、識別番号を挿入位置に付加する。
【０１４０】
ステップＰ８では、識別番号を付加した携帯電話番号を電話回線に送出する。
【０１４１】
ステップＰ１０では、該当する電話番号を電話回線に送出する。
【０１４２】
このように、この発明に係る固定電話機の識別番号付加方法は、電話帳や電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたので、電話帳や短縮ダイヤルやワンタッチダイヤルのダイヤル発信時に、携帯電話番号に自動的に通信事業者の識別番号を付加してダイヤル発信することができ、登録された全ての携帯電話番号について、固定発−携帯着の割安料金サービスを単純操作で受けられ、操作性ならびに利便性の向上を実現することができる。
【産業上の利用可能性】
【０１４３】
この発明に係る固定電話機は、電話帳や短縮ダイヤルやワンタッチダイヤルに登録された電話番号の中から携帯電話番号を検出し、通信事業者の識別番号を携帯電話番号に一括挿入して再登録したり、電話帳や短縮ダイヤルやワンタッチダイヤルに登録された電話番号の中から携帯電話番号を検出し、自動的にダイヤル番号（携帯電話番号）に通信事業者の識別番号を付加して、電話回線に送出する利便性が高いもので、固定発−携帯着の料金割安サービスを受けようとする全ての固定電話機に適用することができる。
【図面の簡単な説明】
【０１４４】
【図１】この発明に係る固定電話機の一実施の形態要部機能ブロック構成図
【図２】図１示す固定電話機の一実施の形態部分機能ブロック構成図
【図３】図１に示す固定電話機の別実施の形態部分機能ブロック構成図
【図４】この発明に係る固定電話機の別実施の形態要部機能ブロック構成図
【図５】この発明に係る識別番号挿入の一実施の形態状態説明図
【図６】この発明に係る固定電話機の識別番号付加方法の一実施の形態動作フロー図
【図７】図６に示す固定電話機の識別番号付加方法の一実施の形態部分動作フロー図
【図８】図６に示す固定電話機の識別番号付加方法の別実施の形態部分動作フロー図
【図９】この発明に係る固定電話機の識別番号付加方法の別実施の形態動作フロー図
【符号の説明】
【０１４５】
１，１６    固定電話機
２    携帯電話番号制御手段
３    電話番号記憶手段
４，１３    識別番号記憶手段
４ａ    識別番号記憶領域
４ｂ    削除番号記憶領域
５    携帯電話番号抽出手段
６    位置検出手段
７    挿入手段
８    入力手段
９    表示手段
１０    回線インタフェース
１１    比較手段
１２    削除手段
１４    番号比較手段
１５    識別番号削除手段
１７    ダイヤル発信制御手段
１８    ダイヤル番号記憶手段
Ｌ    加入者回線
ＮＴ    公衆回線網
【図１】
2005347818.tif 000003
【図２】
2005347818.tif 000004
【図３】
2005347818.tif 000005
【図４】
2005347818.tif 000006
【図５】
2005347818.tif 000007
【図６】
2005347818.tif 000008
【図７】
2005347818.tif 000009
【図８】
2005347818.tif 000010
【図９】
2005347818.tif 000011